(57)【要約】【課題】モータや遮蔽板に大きな負担をかけることなく、表示窓を迅速に開閉出来るようにする。【解決手段】遮蔽装置２０は、遊技盤の裏面側に直接または間接的に固定され、かつ表示窓に対して後方に重合する開口を有するベースプレート２３と、正逆回転可能なモータ２４と、表示窓の真後ろに配置され、かつモータ２４の動力により前後方向を向く仮想回転軸を中心に所定角度回転し得るように、ベースプレート２３に支持される回転板２６と、回転板２６の回転に同期して、揺動端部が回転板２６の外側に位置して表示窓を開放する開放位置から、揺動端部が仮想回転軸の近傍に位置して表示窓の一部または全部を遮蔽する遮蔽位置、及びその逆へ回動し得るように、ベースプレート２３における回転板２６の周辺に回転可能に支持される複数の遮蔽板３４〜３９とを備える。【選択図】  図９
2008132260.tif 000002
【特許請求の範囲】
【請求項１】
遊技に係わる識別情報を表示可能な表示装置と、前記表示装置の前方に設けられ、かつ前記識別情報を視認可能とする円形の表示窓を有する遊技盤と、前記表示窓と前記表示装置との間に設けられ、前記表示窓を開放して前記識別情報を視認可能とする開放状態及び前記表示窓の一部または全部を遮蔽して前記識別情報の一部または全部を視認不能とする遮蔽状態に変位可能な遮蔽装置とを備えた弾球遊技機において、
前記遮蔽装置は、前記遊技盤の裏面側に直接または間接的に固定され、かつ前記表示窓に対して後方に重合する開口を有するベースプレートと、正逆回転可能なモータと、前記表示窓の真後ろに配置され、かつ前記モータの動力により前後方向を向く仮想回転軸を中心に所定角度回転し得るように、前記ベースプレートに支持される回転板と、前記回転板の回転に同期して、揺動端部が前記回転板の外側に位置して前記表示窓を開放する開放位置から、前記揺動端部が前記仮想回転軸の近傍に位置して前記表示窓の一部または全部を遮蔽する遮蔽位置、及びその逆へ回動し得るように、前記ベースプレートにおける前記回転板の周辺に回転可能に支持される複数の遮蔽板とを備えたことを特徴とする弾球遊技機。
【請求項２】
前記複数の遮蔽板は、前記回転板の外周に設けられた外歯に噛合するセクタギヤとともに、前記開放位置から前記遮蔽位置、及びその逆へ一斉に回動することを特徴とする請求項１記載の弾球遊技機。
【請求項３】
前記モータ、前記回転板及び前記遮蔽板を、前記遊技盤の裏面に対向する前記ベースプレートの前面側に配置したことを特徴とする請求項１または２記載の弾球遊技機。
【請求項４】
前記回転板を、透過性の合成樹脂材料により形成したことを特徴とする請求項１〜３のいずれかに記載の弾球遊技機。
【請求項５】
前記遮蔽装置は、前記回転板が前記仮想回転軸を中心に回転し得るように、前記回転板の外周またはその近傍を支持する支持手段を備えたことを特徴とする請求項１〜４のいずれかに記載の弾球遊技機。
【発明の詳細な説明】
【技術分野】
【０００１】
本発明は、表示装置に表示される識別情報を視認可能とする開放状態及び視認不能とする遮蔽状態に変位可能な遮蔽装置を備えた弾球遊技機に関する。
【背景技術】
【０００２】
弾球遊技機（パチンコ機）においては、遊技盤の後側に数字や図柄等で構成される識別情報を変動表示可能な表示装置（図柄表示装置）を取り付け、この表示装置に表示される識別情報を、遊技盤のほぼ中央部に設けたセンター役物（大型装飾部材）の表示窓（透視窓部）から視認可能としている。そして、遊技盤における表示窓と表示装置との間には、遊技状態が所定状態になると、表示窓を遮蔽して識別情報を隠蔽する等して、遊技時の演出効果を高めるようにした遮蔽装置が設けられている（例えば、特許文献１参照）。
【特許文献１】特開２００４−１３５８８５号公報
【発明の開示】
【発明が解決しようとする課題】
【０００３】
しかし、上述のような弾球遊技機における遮蔽装置は、モータ等の動力をもって、複数の遮蔽板を表示窓の上端から下端、及びその逆へ、すなわち表示窓の大きさに相当する移動ストローク分だけ上下動させることによって、表示窓を開閉するようにしているため、表示装置の大画面化に伴って表示窓が大きくなると、遮蔽板の開閉移動ストロークが長くなって表示窓の開閉に多くの時間を要して、遊技に支障を及ぼすおそれがある。また、遮蔽板の開閉動作を速くする等して、開閉時間の短縮化を図ろうとすると、モータ及び遮蔽板等に大きな負担がかかり、早期故障を招くおそれがある。
【０００４】
本発明は、上述のような従来の課題に鑑み、モータや遮蔽板に大きな負担をかけることなく、表示窓を迅速に開閉出来るようにした弾球遊技機を提供することを目的とする。
【課題を解決するための手段】
【０００５】
本発明によると、上記課題は、次のようにして解決される。
（１）遊技に係わる識別情報を表示可能な表示装置と、前記表示装置の前方に設けられ、かつ前記識別情報を視認可能とする円形の表示窓を有する遊技盤と、前記表示窓と前記表示装置との間に設けられ、前記表示窓を開放して前記識別情報を視認可能とする開放状態及び前記表示窓の一部または全部を遮蔽して前記識別情報の一部または全部を視認不能とする遮蔽状態に変位可能な遮蔽装置とを備えた弾球遊技機において、前記遮蔽装置は、前記遊技盤の裏面側に直接または間接的に固定され、かつ前記表示窓に対して後方に重合する開口を有するベースプレートと、正逆回転可能なモータと、前記表示窓の真後ろに配置され、かつ前記モータの動力により前後方向を向く仮想回転軸を中心に所定角度回転し得るように、前記ベースプレートに支持される回転板と、前記回転板の回転に同期して、揺動端部が前記回転板の外側に位置して前記表示窓を開放する開放位置から、前記揺動端部が前記仮想回転軸の近傍に位置して前記表示窓の一部または全部を遮蔽する遮蔽位置、及びその逆へ回動し得るように、前記ベースプレートにおける前記回転板の周辺に回転可能に支持される複数の遮蔽板とを備える。
【０００６】
（２）上記(１)項において、前記複数の遮蔽板は、前記回転板の外周に設けられた外歯に噛合するセクタギヤとともに、前記開放位置から前記遮蔽位置、及びその逆へ一斉に回動する。
【０００７】
（３）上記(１)または(２)項において、前記モータ、前記回転板及び前記遮蔽板を、前記遊技盤の裏面に対向する前記ベースプレートの前面側に配置する。
【０００８】
（４）上記(１)〜(３)項のいずれかにおいて、前記回転板を、透過性の合成樹脂材料により形成する。
【０００９】
（５）上記(１)〜(４)項のいずれかにおいて、前記遮蔽装置は、前記回転板が前記仮想回転軸を中心に回転し得るように、前記回転板の外周またはその近傍を支持する支持手段を備える。
【発明の効果】
【００１０】
本発明によれば、次のような効果が奏せられる。
請求項１記載の発明によると、複数の遮蔽板を、回転板の外側に位置する開放位置から、回転板の仮想回転軸寄りに位置する遮蔽位置、及びその逆へ、すなわち表示窓の半径にほぼ相当する移動ストローク分だけ回動させることにより、表示窓を開閉することが出来るため、モータ、遮蔽板にかかる負担を少なくして、表示窓を迅速に開閉することが出来る。
【００１１】
請求項２記載の発明によると、回転板の回転に同期して、複数の遮蔽板を開放位置から遮蔽位置、及びその逆へ確実に回動させることが出来る。
【００１２】
請求項３記載の発明によると、遮蔽装置の可動部分である回転板及び遮蔽板が、遊技盤の後方に配置される表示装置に接触することを確実に防止することが出来る。
【００１３】
請求項４記載の発明によると、回転板を、透過性の合成樹脂材料により形成したことにより、回転板を透して、表示装置に表示される識別情報を視認することが出来る。
【００１４】
請求項５記載の発明によると、回転板を、支持手段により仮想回転軸を中心に回転し得るように確実に支持することが出来る。
【発明を実施するための最良の形態】
【００１５】
以下、本発明の一実施形態を、図面に基づいて説明する。なお、以下の説明においては、弾球遊技機の正面図を示す図１における図面手前を「前方または表面」とし、図面奥側を「後方または裏面」とし、左方を「左方」とし、右方を「右方」とする。
【００１６】
図１、２に示すように、弾球遊技機１は、遊技店等の遊技施設の遊技島に据え付けられる遊技機枠２と、図柄や数字等で構成される識別情報１００（図１のみに示す）を変動表示可能な表示装置３と、前面に後述の遊技領域４を形成し、かつ表示装置３の前方に配置される遊技盤５と、中央部に円形のガラス板６１が嵌め込まれ、遊技機枠２の左部に上下方向のヒンジ軸（図示略）により開閉可能に枢着される前扉６とを備え、遊技機枠２の前面右下部に設けられたハンドル７を回転操作することにより、前扉６の下方に設けられた球貯留皿８に貯留されている遊技球が図示略の発射装置から遊技領域４に打ち込まれて、所定の遊技を行うことが出来る。
【００１７】
遊技盤５は、ベニヤ合板等の不透明な材料をもって形成され、その盤面（表面）には、ガイドレール９、１０によって包囲される円形（楕円形を含む）の遊技領域４が形成されている。遊技領域４のほぼ中央部には、円形の表示窓１２が設けられる。この表示窓１２は、後述のセンタ役物１３によって形成される。
【００１８】
遊技領域４には、遊技球の流下方向を変化させるための多数の遊技釘１１と、合成樹脂製のセンター役物１３と、遊技球が通過または入球可能な普通図柄作動ゲート１４と、遊技球が入球可能な複数の入賞口１５と、遊技球が入球可能な図柄始動口１６と、遊技者にとって不利な第１状態（遊技球が実質的に入賞不能な閉鎖状態）及び遊技者にとって有利な第２状態（遊技球が入賞可能な開放状態）に変位可能な大入賞装置１７が配置されている。また、遊技領域４の最下部には、遊技領域４に打ち込まれた遊技球を遊技盤５の後方に排出させるためのアウト口１８が設けられ、さらに、遊技領域４におけるセンター役物１３の右側には、補助表示窓５１が穿設されている。
【００１９】
発射装置から発射された遊技球は、ガイドレール９、１０により誘導されて遊技領域４に打ち込まれて遊技釘１１に当接しつつ流下し、入賞口１５または図柄始動口１６のいずれかに入球した場合には、所定数の遊技球が賞球として遊技者に付与され、また、いずれにも入球しなかった場合には、アウト口１８から遊技盤５の後方に排出される。
【００２０】
表示装置３は、前面に液晶画面等により構成される表示部３０１を有し、この表示部３０１が遊技盤５の裏面に対向するように遊技機枠２に固定される。表示部３０１に表示される識別情報１００は、遊技領域４に打ち込まれた遊技球が図柄始動口１６に入球したことを契機に、所定の確率に基づいて所定時間変動表示した後、停止して確定表示される。確定表示された識別情報１００の組み合わせが、予め定められた表示態様、例えば、図１に示すように、同一の数字「７」が３個揃った場合には、特定遊技状態（所謂、大当り状態）を生起させ、大入賞装置１７を第１状態から第２状態に変位させ、遊技者に所定の遊技価値を付与する。
【００２１】
遊技盤５は、表示装置３の前方に配置されることにより、表示装置３を遊技機枠２に取り付けたまま、遊技機枠２に対して着脱可能である。これにより、遊技盤５及び遊技盤５に取り付けられた各種部品を、遊技機枠２から取り外して新しい遊技盤５に交換することよって、遊技機１の遊技テーマを簡単に変更することが出来るとともに、表示装置３を遊技機枠２に取り付けたまま再利用することが出来る。
【００２２】
センター役物１３は、遊技盤５に固定される。センター役物１３に設けた円形の表示窓１２は、遊技機１の前方から表示部３０１に表示される識別情報１００の視認を可能にする。なお、表示窓１２の後側には、透明板１２１が設けられている。
【００２３】
センター役物１３における表示窓１２の下側には、遊技領域４に打ち込まれた遊技球のうち、センター役物１３の左側部に設けたワープ入口１３４に入球した遊技球を左右、前後に転動可能とするステージ１３１が形成され、また、同じくステージ１３０１の下方前面には、ステージ１３１を転動した遊技球のうちステージ１３１の中央後方に設けた落下口１３２に進入した遊技球を図柄始動口１６の真上に排出する排出口１３３が設けられている。なお、排出口１３３から排出された遊技球は、図柄始動口１５の真上に排出されるため、図柄始動口１６に入球する確率は高い。
【００２４】
補助表示窓５１は、遊技領域４に打ち込まれた遊技球が流下しない領域で、かつ表示装置３における表示部３０１の右領域に対向する位置に設けられ、表示部３０１に表示される補助情報を視認可能としている。なお、補助情報は、識別情報１００の表示を補助し、演出効果を高めるものである。これにより、表示窓１２に対向する表示部３０１の中央領域に識別情報１００を表示させ、また、補助窓５１に対向する表示部３０１の右領域に補助情報を表示させることによって、単一の表示装置３をもって、表示窓１２から演出情報を視認可能とし、また、補助表示窓５１から補助情報を視認可能とすることが出来る。
【００２５】
図５に示すように、遊技盤５の裏面には、上部セット板１９を介して、表示窓１２を開放する開放状態（図１、３参照）及び遮蔽する遮蔽状態（図４参照）に変位可能な遮蔽装置２０が取り付けられる。
【００２６】
上述のように、表示装置３を遊技機枠２側に、また、遮蔽装置２０を遊技盤５側にそれぞれ配置したため、従来のように、遊技盤５に対する表示装置３の取り付け関係を考慮する必要性がないため、表示窓１２を大きくすることが出来る。
【００２７】
上部セット板１９の下方には、下部セット板２１が取り付けられている。下部セット２１には、各入賞口１５及び図柄始動口１６に入球した遊技球を遊技盤５の後側に排出させるための排出路２１１が一体的に形成されるとともに、遊技盤５の前面を電飾するためのＬＥＤを実装したプリント基板４２が取り付けられている。なお、遮蔽装置２０は、必要に応じて、上部セット板１９を介さないで、遊技盤５の裏面に直接固定しても良い。
【００２８】
上部セット板１９は、半透明または透明の合成樹脂製で形成されるとともに、センター役物１３の後側周囲を囲むように、遊技盤５の裏面に複数のボルト（図示略）によって固定される。図７に示すように、上部セット板１９には、センター役物１３の表示窓１２に対して後方に重合し、かつ表示窓１２からの識別情報１００の視認を妨げないようにした開口１９１と、後方へ所定量突出し、遮蔽装置２０を支持するための複数（本実施形態においては４個）の円柱状の取付部１９２が一体的に設けられている。
【００２９】
図６、７に示すように、遮蔽装置２０は、金属製のベースプレート２３と、モータ２４と、モータ２４の回転により中継ギヤ２５を介して前後方向を向く仮想回転軸Ｏを中心に所定角度回転可能な回転板２６と、ベースプレート２３に前後方向を向く支軸２７によりそれぞれの位置に枢支される６枚（偶数枚）のセクタギヤ２８〜３３と、各セクタギヤ２８〜３３とそれぞれ一体的に回動可能な６枚の遮蔽板３４〜３９とを備えている。
【００３０】
遮蔽装置２０が開放状態にある場合は、表示窓１２を開放して、表示窓１２から識別情報１００の視認を可能とし、また、同じく遮蔽状態にある場合は、表示窓１２を遮蔽することにより識別情報１００を隠蔽して、表示窓１２からの識別情報１００の視認を不能にする。
【００３１】
遮蔽装置２０におけるモータ２４、中継ギヤ２５、回転板２６、セクタギヤ２８〜３３及び遮蔽板３４〜３９の全ての可動部品は、遊技盤５の裏面に対向するベースプレート２３の前面側に配置される。これにより、全ての可動部品は、固定部品であるベースプレート２３よりも後方へ突出しないため、可動部品が表示装置３の表示部３０１に接触する等して、表示部３０１を損傷させるような事態を確実に防止することが出来る。
【００３２】
なお、本実施形態においては、セクタギヤ２８〜３３と遮蔽板３４〜３９とを別体で形成したが、セクタギヤ２８〜３３及び遮蔽板３４〜３９を一体的に形成しても良い。また、モータ２４の回転を、中継ギヤ２５を介さないで、直接、回転板２６に伝達するようにしても良い。
【００３３】
ベースプレート２３は、中央部に円形の開口２３１を有し、この開口２３１がセンター役物１３の表示窓１２に対して後方にほぼ整合するとともに、その前面と遊技盤５の後面との間に所定の間隙が形成されるように、上部セット板１９の取付部１９２にボルト２２により固定される。これにより、ベースプレート２３の前面に取り付けられるモータ２４、中継ギヤ２５、回転板２６、セクタギヤ２８〜３３及び遮蔽板３４〜３９が、センター役物１３の後部に干渉することはない。この結果、センター役物１３におけるステージ１３１の奥行寸法を拡大させることができ、遊技球の多彩な動きを可能として、遊技の面白味を一層向上させることが出来る。
【００３４】
回転板２６は、透明なアクリル樹脂板により円板状に形成されるとともに、表示窓１２の後方に整合し、かつ表示窓１２の中心にほぼ合致する前後方向を向く仮想回転軸Ｏを中心に回転し得るように、ベースプレート２３に支持される。これにより、回転板２６を表示窓１２に整合するように配置しても、表示窓１２からの識別情報１００の視認を、回転板２６が遮ることはない。
【００３５】
回転板２６の外周には、各セクタギヤ２８〜３３がそれぞれ噛合可能な外歯２６１、及び放射方向へ突出する４個のアーム部２６２〜２６５が設けられている。
【００３６】
左上部のアーム部２６２の外周縁には、中継ギヤ２５に一体的に設けられた小ギヤ２５１に噛合する外歯２６２ａが設けられている。
【００３７】
左上部のアーム部２６２の外周縁は、中継ギヤ２５をベースプレート２３に枢支するための軸４３に回転可能に設けられる押さえ部材４４により、また、各アーム部２６３〜２６５の外周縁は、ベースプレー２３に固定された前後方向を向く各軸４１に回転可能に設けられる各押さえ部材４０により、それぞれ前後方向に挟持されている。これにより、回転板２６は、前後方向にがた付かないように、仮想回転軸Ｏを中心に所定角度回転し得るように、ベースプレート２３に支持される。
【００３８】
なお、回転板２６を仮想回転軸Ｏを中心に回転し得るように支持するための支持手段は、回転板２６の外周の近傍、すなわち各アーム部２６２〜２６５の外周縁を挟持することに代えて、回転板２６の外周縁を直接挟持するようにしても良い。
【００３９】
ベースプレート２３における回転板２６の周辺には、各セクタギヤ２８〜３３及び遮蔽板３４〜３９をベースプレート２３に回転可能に支持するための前後方向を向く６本の支軸２７が等間隔で固定されている。
【００４０】
各セクタギヤ２８〜３３及び遮蔽板３４〜３９は、一体的に回動可能であって、各支軸２７により回転可能に支持されるとともに、回転板２６の仮想回転軸Ｏに対して点対称となるように配置される。
【００４１】
セクタギヤ２８〜３３は、回転板２６の外歯２６２ａにそれぞれ噛合して、回転板２６の回転に同期して、図８に示す開放位置から図９、１０に示す遮蔽位置へ、及びその逆へ枢軸２７を中心に同一方向へ一斉に回動する。
【００４２】
セクタギヤ２８〜３３の円弧状の外周縁には、回転板２６における外歯２６１の側面に対して前後方向に互い違いに摺接可能な鍔部２８ａ〜３３ａがそれぞれ設けられている。具体的には、セクタギヤ２８、３０、３２には、外歯２６１の後側面に摺接する鍔部２８ａ、３０ａ、３２ａが設けられ、また、セクタギヤ２９、３１、３３には、外歯２６１の前側面に摺接する鍔部２９ａ、３１ａ、３３ａが設けられている。これにより、回転板２６の前後方向のがた付きを押さえ、各セクタギヤ２８〜３３と回転板２６の外歯２６１との噛合を確実なものとすることが出来る。
【００４３】
遮蔽板３４〜３９は、正面視ほぼ弓形をなすとともに、回転板２６の回転に同期して、セクタギヤ２８〜３３と共に、図８に示す開放位置から図９、１０に示す遮蔽位置へ、及びその逆へ枢軸２７を中心に同一方向へ一斉に回動する。
【００４４】
各遮蔽板３４〜３９は、開放位置にあるとき、表示窓１２から見えないように、その揺動端部が回転板２６の外側に退避することにより、表示窓１２から識別情報１００の視認を可能とし、また、遮蔽位置にあるとき、揺動端部が仮想回転軸Ｏの近傍に位置して、表示窓１２をその中心付近のみを残して遮蔽して、表示窓１２から識別情報１００の視認を不能とする。これにより、各遮蔽板３４〜３９が、表示窓１２及び回転板２６の半径にほぼ相当する移動ストロークだけ回動するだけで、表示窓１２を開閉することが出来るため、モータ２４、各遮蔽板３４〜３９にかかる負担を少なくして、表示窓１２を迅速に開閉することが出来る。
【００４５】
また、セクタギヤ２８〜３３及び遮蔽板３４〜３９を、回転板２６の仮想回転軸Ｏに対して点対称になるように配置したことにより、表示窓１２の大型化に伴って、各遮蔽板３４〜３９を大きくしても、小出力の小型のモータ２４をもって、各遮蔽板３４〜３９を、軽い力で素早く各位置に回動させることが出来る。
【００４６】
すなわち、セクタギヤ２８〜３３及び遮蔽板３４〜３９を、回転板２６の仮想回転軸Ｏに対して点対称になるように配置した場合、点対称位置にある遮蔽板同士には、自重による回転モーメントが互いに逆向きに作用する。これにより、図８に示すように、遮蔽装置２０が開放状態にあるとき、例えば、遮蔽板３５には、自重による回転モーメントが支軸２７を中心に反時計方向（矢印Ａ方向）へ作用し、また、遮蔽板３５に対して点対称位置にある遮蔽板３８には、自重による回転モーメントが支軸２７を中心に時計方向（矢印Ｂ方向）へ作用する。そして、遮蔽板３５に作用する回転モーメントは、セクタギヤ２９を介して、回転板２６に対して時計方向（矢印Ｃ方向）に作用するように伝達され、また、遮蔽板３８に作用する回転モーメントは、セクタギヤ３２を介して、回転板２６に対して反時計方向（矢印Ｄ方向）に作用するように伝達される。この結果、回転板２６に伝達される回転モーメントは互いに相殺されるため、小出力の小型のモータ２４をもって、回転板２６を回転させて、各遮蔽板３４〜３９を開放位置及び遮蔽位置に軽い力で素早く回動させることが出来る。
【００４７】
図７〜図１０中、４５は、遮蔽板３９の開放位置を検出するセンサーである。センサー４５が遮蔽板３９の開放位置を検出すると、モータ２４への給電が停止される。
【００４８】
次に、本実施形態における遮蔽装置２０の動作について説明する。図８に示すように、遮蔽装置２０が開放状態にある場合、各遮蔽板３４〜３９は、開放位置にあって、図１、３に示すように、表示窓１２を開放して、表示窓１２から表示部３０１に表示される識別情報１００を視認可能としている。
【００４９】
開閉状態からモータ２４が正転すると、その回転は、中継ギヤ２５を介して回転板２６に伝達される。回転板２６は、仮想回転軸Ｏを中心に、図８に示す開放位置から遮蔽方向である時計方向へ所定角度（アーム部２６２の外歯２６２ａの数に相当する角度）回転する。これに同期して、全ての遮蔽板３４〜３９は、各セクタギヤ２８〜３３を介して、開放位置から仮想回転軸Ｏに向けて一斉に回動して遮蔽位置に停止する。そして、図４に示すように、表示窓１２を遮蔽して、表示部２１に表示されている識別情報１００を表示窓１２から視認できないように隠蔽する。
【００５０】
また、遮蔽状態からモータ２４が逆転すると、その回転は、中継ギヤ２５を介して回転板２６に伝達される。回転板２６は、仮想回転軸Ｏを中心に、図９に示す遮蔽位置から開方向である反時計方向へ所定開度回転する。これに同期して、全ての遮蔽板３４〜３９は、各セクタギヤ２８〜３３を介して、遮蔽位置から回転板２６の外周に向けて一斉に回動して開放位置に停止して、表示窓１２を開放する。
【００５１】
なお、遮蔽装置２０を開閉動作させる契機としては、例えば、遊技状態がリーチ状態（２個の識別情報１００が同一図柄で確定表示され、残り１個の識別情報１００が、前記２個の識別情報１００と同一図柄で確定表示されると、大当りの可能性がある状態）とすることができる。このようにした場合には、遊技状態がリーチ状態になると、各遮蔽板３４〜３９を開放位置から遮蔽位置に移動させて、表示部３０１に表示されている識別情報１００を隠蔽して視認不能とする。そして、所定時間経過後、最後の１個の識別情報１００が停止して確定表示されると、各遮蔽板３４〜３９を遮蔽位置から開放位置に回動させて、それまで隠蔽されていた識別情報１００を突然、視認可能とすることによって、リーチ時の演出効果を高めることが出来る。
【００５２】
以上、本発明の一実施形態について説明したが、本発明の要旨を逸脱しない範囲内で、本実施形態に対して、次のような種々の変形や変更を施すことが可能である。
（ｉ）各遮蔽板３４〜３９が遮蔽位置にあるとき、表示窓１２の全領域を遮蔽する。
（ii）遮蔽板３４〜３９の枚数を、適宜変更する。この場合は、偶数枚とするのが好ましい。
【図面の簡単な説明】
【００５３】
【図１】本発明の一実施形態を適用した弾球遊技機の正面図である。
【図２】遊技盤を遊技機枠か外した状態の弾球遊技機の斜視図である。
【図３】遮蔽装置が開放状態あるときの遊技盤の正面図である。
【図４】遮蔽装置が遮蔽状態にあるときに遊技盤の正面図である。
【図５】遮蔽装置が遮蔽状態にあるときの遊技盤の裏面図である。
【図６】斜め前方から見た遮蔽装置の分解斜視図である。
【図７】斜め後方から見た遮蔽装置の分解斜視図である。
【図８】開放状態にあるときの遮蔽装置の正面図である。
【図９】遮蔽状態にあるときの遮蔽装置の正面図である。
【図１０】遮蔽状態にあるときの遮蔽装置の裏面図である。
【図１１】遊技盤の縦断面概略図である。
【図１２】図９におけるXII−XII線縦断面図である。
【符号の説明】
【００５４】
１  弾球遊技機
２  遊技機枠
３  表示装置
４  遊技領域
５  遊技盤
６  前扉
７  ハンドル
８  球貯留皿
９、１０  ガイドレール
１１  遊技釘
１２  表示窓
１３  センター役物
１４  普通図柄作動ゲート
１５  入賞口
１６  図柄始動口
１７  大入賞装置
１８  アウト口
１９  上部セット板
２０  遮蔽装置
２１  下部セット板
２２  ボルト
２３  ベースプレート
２４  モータ
２５  中継ギヤ
２６  回転板
２７  支軸
２８〜３３  セクタギヤ
２８ａ〜３３ａ  鍔部
３４〜３９  遮蔽板
４０  押さえ部材
４１  軸
４２  プリント基板
４３  軸
４４  押さえ部材
４５  センサー
５１  補助表示窓
６１  ガラス板
１００  識別情報
１２１  透明板
１３１  ステージ
１３２  落下口
１３３  排出口
１３４  ワープ入口
１９１  開口
１９２  取付部
２１１  排出路
２３１  開口
２５１  小ギヤ
２６１  外歯
２６２〜２６５  アーム部
２６２ａ  外歯
３０１  表示部
Ｏ  仮想回転軸
【図１】
2008132260.tif 000003
【図２】
2008132260.tif 000004
【図３】
2008132260.tif 000005
【図４】
2008132260.tif 000006
【図５】
2008132260.tif 000007
【図６】
2008132260.tif 000008
【図７】
2008132260.tif 000009
【図８】
2008132260.tif 000010
【図９】
2008132260.tif 000011
【図１０】
2008132260.tif 000012
【図１１】
2008132260.tif 000013
【図１２】
2008132260.tif 000014